【事件の表示】
　特許第２５９３７５４号「絵付け転写用紙」の請求項１ないし３に係る特許に対する特許異議の申立てについて、次のとおり決定する。
【結論】
　訂正を認める。
　特許第２５９３７５４号の請求項１ないし２に係る特許を維持する。
【理由】
１．手続の経緯
　特許第２５９３７５４号の請求項１〜３に係る発明についての出願は、平成３年８月５日に出願され、平成８年１２月１９日に、その発明について特許の設定登録がなされ、その後、その特許について特許異議の申立てがなされ、取消理由通知がなされ、その指定期間内である平成１０年５月１２日に、訂正請求がなされ、平成１１年６月８日に訂正拒絶理由通知の手交がなされると同時に訂正請求書の補正がなされたものである。
２．訂正の要旨
　▲１▼特許請求の範囲の減縮を目的として、特許請求の範囲の請求項１を削除し、同請求項２を請求項１とするとともに、同請求項３の「・・・請求項１または２記載の・・・」を「・・・請求項１記載の・・・」と訂正し、これを請求項２と訂正する。
　明りょうでない記載の釈明を目的として、▲２▼〜▲４▼の訂正をする。
　▲２▼明細書【０００５】の全文の記載を削除する。
　▲３▼明細書【０００６】の「請求項２記載の発明は・・・」を「【課題を解決するための手段】上記課題を解決するための本発明の請求項１記載の発明は・・・」と訂正する。
　▲４▼明細書【０００７】の「請求項３記載の発明は、コート層の塗工量が８〜１６ｇ／ｍ２である請求項１または２記載の絵付け転写用紙である。」を「請求項２記載の発明は、コート層の塗工量が８〜１６ｇ／ｍ２である請求項１記載の絵付け転写用紙である。」と訂正する。
　▲５▼誤記の訂正を目的として、明細書、図面の簡単な説明の欄の「【図１】本発明に・・・断面図である。【図２】従来例に・・・断面図である。」を、それぞれ「【図１】本発明の・・・断面図である。【図２】従来例の・・・断面図である。」と訂正する。
３．訂正の適否についての判断
３−１．訂正の目的の適否、新規事項の有無及び拡張・変更の存否
　平成１１年６月８日付けの訂正請求書の補正は、平成１０年５月１２日付けの訂正請求書に記載された訂正事項を削除するものであり、請求書の要旨を変更するものではないから、以下、平成１１年６月８日付けの手続補正書（訂正請求書）により訂正された訂正請求書に記載された訂正の要旨に基づいて訂正の適否を検討する。
　▲１▼の訂正は、特許請求の範囲の請求項１を削除し、それに伴い、訂正前の請求項３の引用する請求項を「１または２」から「１」と訂正するものであるから、いずれも、特許法第１２０条の４第２項ただし書第１号の特許請求の範囲の減縮に該当し、願書に添付した明細書に記載した事項の範囲内のものであり、実質上特許請求の範囲を拡張又は変更するものではない。
　▲２▼、▲３▼及び▲４▼の訂正は、▲１▼の特許請求の範囲の訂正に伴い、それぞれ、発明の詳細な説明における訂正前の特許請求の範囲の請求項１に関する記載を削除するもの、請求項の番号を２から１に繰り上げるもの、及び請求項の番号を３から２に繰り上げるとともに引用請求項を「１又は２」を「１」と訂正するものであり、いずれも特許法第１２０条の４第２項ただし書第３号の明りょうでない記載の釈明に該当し、願書に添付した明細書に記載した事項の範囲内のものであり、実質上特許請求の範囲を拡張又は変更するものではない。
　▲５▼の訂正は、「本発明に」「従来例に」を「本発明の」「従来例の」と、その文意に基づいて「に」を「の」に訂正するものであるから、特許法第１２０条の４第２項ただし書第２号の誤記の訂正に該当し、願書に添付した明細書に記載した事項の範囲内のものであり、実質上特許請求の範囲を拡張又は変更するものではない。
３−２．独立特許要件
（本件発明）
　訂正明細書の請求項１及び請求項２に係る発明（以下、「本件請求項１及び請求項２に係る発明」という。）は、その特許請求の範囲の請求項１及び請求項２に記載された次のとおりのものである。
　「【請求項１】原紙上に、その凹凸の目詰めおよび吸水性を抑制するためのアンダーコート層、再湿糊を含むトップコート層、印刷層およびオーバーコート層を順次有する絵付け転写用紙であって；かつ使用に際して、前記転写用紙に水を与えて前記トップコート層を溶解させるとともに、当該転写用紙を対象物表面に当てがい、前記印刷層を手でスライドさせて前記対象物表面に移し、その後前記印刷層を焼き付けて絵付けを行うための転写用紙において：
　前記原紙として、アンダーコート層側に、ピグメントを有するコート層を塗工し、これをスーパーカレンダー処理し、かつその平滑度（ＪＩＳ　Ｐ　８１１９）が５０秒以上である平滑化コート層を有することを特徴とする絵付け転写用紙。（以下「本件第１発明」という。）
　【請求項２】コート層の塗工量が８〜１６ｇ／ｍ２である請求項１記載の絵付け転写用紙。（以下「本件第２発明」という。）」
（取消理由の概要）
　取消理由は、訂正前の請求項１（訂正により削除）及び請求項３（訂正により請求項２）に係る発明は、この出願前に頒布された刊行物（米国特許第２７３３９９７号明細書）に記載された発明であるか又はその発明に基づいて当業者が容易に発明をすることができたものであるから、請求項１及び請求項３に係る発明の特許は、特許法第２９条第１項第３号又は第２９条第２項の規定に違反してなされたものである（理由１）、また、本件特許は、明細書及び図面の記載が不備であるから、特許法第３６条第４項に規定する要件を満たしていない特許出願に対してなされたものである（理由２）、というものである。
　理由１について、
　訂正前の請求項１に係る発明及び請求項１を引用した請求項３にかかる発明は、訂正によって削除されたから、理由１の取消理由は解消された。（取消理由において、なお書きで指摘した、請求項１に係る発明は、願書に最初に添付した明細書及び図面に記載されておらず、平成６年９月１３日付け手続補正書で新たに加入されたものであるから、本件特許の出願日は繰り下がるという点も解消した。）
　理由２について、
　本件明細書の【００２３】〜【００２５】に示された実施例の平滑化コート層は、その塗工量については記載されているが、その成分組成については記載されていない。
　しかしながら、平滑化コート層の組成に関し明細書の【００１８】の後半部には「コート層１Ａの塗工に当たり、クレー、軽質炭酸カルシウム、重質炭酸カルシウムなどのピグメントを含有させ、ＳＢＲラテックス、エステル化デンプン、耐水化剤、潤滑剤、保水剤などを含有することができる。」と記載されているから、どのような成分が該当するかは明らかであり、また、前記成分を実際どのような比率で含有させるかは当業者が適宜決定し得る事項であると認められるが、平成１１年６月４日に上申書が提出され、実施例の平滑化コート層における前記ピグメント、ＳＢＲラテックス、エステル化デンプン及び潤滑剤の含有割合が明らかとなった。
　したがって、かかる点において、当業者が容易に実施できる程度に発明が記載されていないとはいえないから、理由２も取り消すべき理由とはならない。
（まとめ）
　以上のとおり、本件請求項１および請求項２に係る発明は、特許出願の際独立して特許を受けることができない発明とすることができない。
３−３．訂正の適否についての結論
　よって、上記訂正請求は、特許法１２０条の４第２項、同条第３項で準用する第１２６条第２項〜第４項の規定に適合するので、当該訂正を認める。
４．特許異議申立てについての判断
４−１．申立て理由の概要
　異議申立て（その１）
　特許異議申立人特種製紙株式会社は、甲第１号証〜甲第３号証を提出して、本件請求項１（訂正前の請求項２、以下、同じ）及び請求項２（訂正前の請求項３、以下同じ）に係る発明は、甲第１号証及び甲第３号証に記載された発明に基づいて当業者が容易に発明をすることができたものであるから、本件請求項１及び請求項２に係る発明の特許は、特許法第２９条第２項の規定に違反してなされたものであり、（主張１）また、本件明細書には記載不備があるから、本件特許は、特許法第３６条第４項に規定する要件を満たしていない特許出願に対してなされたものである（主張２）旨主張している。
　異議申立て（その２）
　特許異議申立人王子製紙株式会社は甲第１号証〜甲第１３号証を提出して、本件請求項１及び請求項２に係る発明は、甲各号証に記載された発明に基づいて当業者が容易に発明をすることができたものであるから、本件請求項１及び請求項２に係る発明の特許は、特許法第２９条第２項の規定に違反してなされたものである旨主張している。
　異議申立て（その３）
　特許異議申立人トゥリス・ラッセル・ブリテンズ・デカルコマニア・ペーパーズ・リミテッドは、甲第１号証及び甲第２号証を提出して、本件請求項１及び請求項２に係る発明は、甲第１号証及び甲第２号証に記載された発明に基づいて当業者が容易に発明をすることができたものであるから、本件請求項１及び請求項２に係る発明の特許は、特許法第２９条第２項の規定に違反してなされたものである旨主張している。（なお、特許異議申立人は、訂正前の請求項１に係る発明は、特許法第１７条の２第３項の規定に違反してなされたものであるから、本件特許は、特許法第１１３条第１項第１号に該当し取り消されるべきものであると主張しているが、特許法第１７条の２第３項の規定は、平成３年の出願である本件特許には適用されないから、該主張は採用できない。）
４−２．当審の判断
　異議申立て（その１）について、
１）主張１について、
（甲号証に記載された発明）
　特許異議申立人が提出した本出願前頒布された甲第１号証（米国特許第２７３３９９７号明細書）には、転写用紙に関する発明が開示されており、
　「本発明は、水透過性裏紙、接着剤コート層および裏紙と接着剤コート層との中間に配したサイジングコート層から構成されるタイプの転写材料に関するものである。接着剤コート層の上にはラッカーコート層を塗布してもよく、接着剤コートの上に直接印刷してもよい。印刷層を転写するには、裏紙を水に浸漬して接着剤層を充分に軟化させ、印刷層をスライドできるようにした後、印刷層を絵付け対象物上に載せる。移動された部分を以後分離可能層即ち転写層と呼び、この分離可能層と共に接着剤コート層の少なくとも一部が移動して、対象物表面に転写層を貼り付けることができる。」（第１欄第１５〜２８行）
　「本発明の目的は、カールせず湿潤時に迅速に転写層が剥離し、多種類の表面に接着し、しかも安価に製造できる転写材料を提供することである。
　本発明による転写紙は、無サイズ紙の如き水透過性裏紙、デキストリンの如き接着剤の接着剤コート層および中間サイジングコート層から構成される。サイジングコート層は実質的に非吸湿性の微粒子からなり、水に容易に溶解しない。微粒子はバインダー、好ましくは接着性ポリマーにより互いに結合している。バインダーは、サイジングコート層を通して水を容易に透過させて転写層を剥離できるようにするが、この剥離に要する時間の間に実質的に水に溶解せず、これによって転写層が剥離される際にサイジングコート層は実質的に完全に残っている。」（第１欄第３９〜５４行）
　「説明のために、本発明の代表的な実施態様を添付の断面図に示す。図示の転写材料は、裏紙、サイジングコート層、接着剤からなるボトム・ガム層、デキストリンからなるトップ・ガム層およびラッカーコート層から構成されている。ラッカーコート層は省略してもよく、図柄はデキストリンコート層に直接印刷される。
　以下の説明において、割合はすべて重量基準であり、「リーム」は２０×２５インチの寸法のシート５００枚からなる。」（第１欄第７０行〜第２欄第９行、添付図面）
　「サイジングコート層に用いる代表的な粒子は、白土、通常タルクと呼ばれているマグネシウム・アルミニウム・シリケート、通常バライトと呼ばれている硫酸バリウム、炭酸カルシウム、硫酸カルシウム、サテンホワイトと呼ばれている水酸化アルミニウムと硫酸カルシウムとの混合物、二酸化チタンである。しかしながら、特に高度に不溶性のバインダーを使用する場合には白土が使用できる。これらの粒子は比較的水に溶けにくく非吸湿性であり、本発明におけるように紙に塗布されると、高度の平滑性あるいは非カール性を付与するが、これらは転写層の剥離速度においてかなりの変動を示す。」（第２欄第１５〜２７行）
　「サイジングコート層の厚さも広範囲に変化させることができ、一般的にはコート層が厚くなるほど得られる製品が平滑になるが、多くの場合１リーム当たり５ポンドで十分である。」（第３欄第１５〜１８行）
とそれぞれ記載されている。
　同じく提出した甲第２号証（特公昭４４−１６１３５号公報）には、陶磁器用転写紙の製造法に関し、
　「陶磁器用転写紙としては、複紙とスライド紙の２種類が知られており、これらのうちスライド紙は作業能率が高く、仕上りも良好であるため近年広く用いられるようになってきた。しかして、このスライド紙は吸水性台紙上に水溶性糊料を塗布し、この上に印刷層および耐水性皮膜層を形成させたものであって、この場合印刷層と耐水性皮膜層の上下関係は任意とされている。またこのスライド紙に使用される水溶性糊料としては従来から殿粉、デキストリン、カルボキシメチルセルロース、メチルセルロース、ポリビニルアルコールなどが用いられているが・・・」　（第１欄第２１〜３２行）
と記載され、また、
　「従来この台紙上に形成される水溶性糊料層には台紙の目をふさぐための下塗りと、接着剤層となる上塗りとを施す必要があった・・・」（第２欄第３７行〜第３欄第２行）
　「この発明の方法によるスライド紙の作成に当っては台紙上に塗布した水溶性糊料層に印刷を施しこの上に耐水性皮膜を形成せしめてもよくあるいは逆に水溶性糊料層の上に耐水性皮膜を塗布してこの上に印刷を施しても良く、いずれの場合もその耐水性皮膜については何等制限を設けるものではない。」（第４欄第１３〜１９行）
と記載されている。
　また、同じく提出した甲第３号証（特公昭４６−３６８８２号公報）には、顔料塗工液組成物に関し、
　「本発明はアート紙、コート紙のような高級印刷用紙を製造するための顔料塗工液組成物に関するもので・・・印刷適性にすぐれた顔料塗工紙を安価に製造するための顔料塗工液を提供せんとするにある。」（第１欄第１７〜２５行）
　「スパーカレンダー適性を増進する結果、塗工面の平滑性、光沢度を増進する・・・」（第４欄第１〜２行）
　「なお実施例中の印刷適性諸測定値は次の方法によって得られたものである。
（１）平滑度はベック平滑度試験器（ＪＩＳ　Ｐ　８１１９）による秒数、」（第４欄第３３〜３６行）
　「実施例１
　低粘度酸化変性デンプンの３０％糊液６０〜８０部中にピロリン酸ソーダ０．３部、酢酸ビニル・クロトン酸共重合体２５％溶液０または８部を加え、この中にクレー１００部を投入し、ミキサー中で３０分間混合分散して全固形分濃度５８％、粘度５０００〜１００００ｃｐ（・・・）の塗工液を得た。・・・塗工液をテストコーターにより、スピード２０ｍ／ｍｉｎでメートル坪５７ｇ／ｍ２の上質塗工用原紙に乾燥重量が１１ｇ／ｍ２となるように上向き型ブレード塗工し、８０〜９０℃で乾燥後、２０℃、６５％ＲＨの恒温恒湿室に一夜放置して調湿し、温度５０℃、線圧１００ｋｇ／ｃｍのテストスーパーカレンダーによりスピード１０ｍ／ｍｉｎで塗工面を２回スーパー処理した。得られた塗工紙の性質を第１表に記載した。」（第５欄第２１行〜第６欄第２６行）と記載され、
　第１表には得られた塗工紙の平滑度が５６０〜６４０秒であることが示されている。
（対比・判断）
　本件第１発明と甲第１号証に記載された発明とを対比すると、甲第１号証に記載された発明における「水透過性裏紙」、「接着剤コート層」、「デキストリンコート層」及び「デキストリンコート層に直接印刷される図柄」は、それぞれ、本件第１発明における「原紙」、「アンダーコート層」、「再湿糊を含むトップコート層」及び「印刷層」に相当し、また、甲第１号証に記載された発明における「サイジングコート層」は、水透過性裏紙（原紙）の接着剤コート層（アンダーコート層）側に塗工される層であって、白土、タルク、バライト等の非吸湿性の微粒子（本件第１発明における「ピグメント」に相当）を含有し、高度の平滑性を付与する「平滑化コート層」であるから、両者は、「原紙上にアンダーコート層、再湿糊を含むトップコート層および印刷層を順次有する絵付け転写用紙であって；かつ使用に際して、前記転写用紙に水を与えて前記トップコート層を溶解させるとともに、当該転写用紙を対象物表面に当てがい、前記印刷層を手でスライドさせて前記対象物表面に移すための転写用紙において、前記原紙として、アンダーコート層側に、ピグメントを有するコート層を塗工した平滑化コート層を有する転写用紙。」である点で一致し、▲１▼アンダーコート層が、本件第１発明においては、「凹凸の目詰めおよび吸水性を抑制するための」ものであるのに対して、甲第１号証に記載された発明においては、該限定がない点、▲２▼本件第１発明においては、印刷層の上にオーバーコート層を有するのに対して、甲第１号証に記載された発明においては、オーバーコート層がない点、▲３▼平滑化コート層が、本件第１発明においては、「スーパーカレンダー処理し、かつその平滑度（ＪＩＳ　Ｐ　８１１９）が５０秒以上である」のに対して、甲第１号証に記載された発明においては、該処理及び平滑度が示されていない点で相違する。
　上記相違点について検討する。
　相違点▲１▼及び▲２▼について
　転写用紙において、台紙上に形成されるアンダーコート層に台紙の目詰めおよび吸水性を抑制する機能をもたせるようにすることは、例えば、甲第２号証に示されるように本出願前周知の技術であるから、甲第１号証に記載された接着剤コート層（アンダーコート層）にも同様の機能をもたせることは当業者が適宜なし得るものと認める。
　また、甲第１号証に記載された発明において、「ラッカーコート層は省略してもよく、図柄はデキストリンコート層に直接印刷される」という記載からみて、ラッカーコート層は、印刷層の下に設けられることは明らかであり、特許異議申立人の主張するようにオーバーコート層であるとは認められないが、印刷層の上に耐水性皮膜のようなオーバーコート層を設けることも周知である（甲第２号証参照）から、この点も当業者が適宜なし得るものと認める。
　相違点▲３▼について
　甲第３号証には、原紙上に形成された塗工面にスーパーカレンダー処理を施し、本件第１発明と同程度の平滑度とし、高級印刷用紙の塗工面の平滑性、光沢度を増進することが示されているが、本件第１発明においては、本件明細書に「従来の原紙においては、平滑度（本明細書においてはベック平滑度をいう）が３０秒程度と低く、また最終的にトップコート層まで加工した状態でも平滑度が約９５０秒程度であるのに対して、本発明では、平滑化コート層を原紙に塗工したので、そもそも原紙の平滑度がたとえば５０秒以上と高くなり、最終的にトップコート層を形成したときの平滑度はたとえば１００００秒ときわめて高く、もって印刷したときの歪みを防止できるためであろうと推測できる。」（段落【００１０】）と記載されているように、単に、その上に印刷するための塗工面（コート層）の平滑度を改善するのではなく、平滑化コート層の上にトップコート層を形成して印刷するときの平滑度を顕著に改善するものであるから、平滑化コート層の上にトップコート層を形成した時の平滑度を顕著に改善するために、「スーパーカレンダー処理し、かつその平滑度（ＪＴＳ　Ｐ　８１１９）が５０秒以上である平滑化コート層」を設けることを当業者が容易に想到し得たとは認められない。
　したがって、本件第１発明は、甲第１〜３号証に記載された発明に基づいて当業者が容易に発明をすることができたものとすることはできない。
　また、本件第２発明は、本件第１発明におけるコート層の塗工量を限定したものであるが、「スーパーカレンダー処理し、かつ平滑度（ＪＩＳ　Ｐ　８１１９）が５０秒以上である平滑化コート層」を有する点は本件第１発明と共通であるから、本件第１発明と同様に、甲第１〜３号証に記載された発明に基づいて当業者が容易に発明をすることができたものとすることはできない。
２）主張２について、
　上記３−２の（理由２について）で述べたとおり、この主張には理由がない。
　異議申立て（その２）について、
（甲号証に記載された発明）
　特許異議申立人が提出した甲第１号証は、異議申立て（その１）の甲第１号証と同一であるから省略する。
　同じく提出した甲第２号証（特公昭５１−３３４５１号公報）には、
　「吸水性台紙、該台紙上に施された下引糊と上引糊からなる糊層上にセラミック絵具を用いて印刷された模様、その上の解重合性重合体からなる有機質皮膜、および上記台紙の裏面に施された、融点５５℃以上の固形パラフィン、マイクロクリスタルワックス、または平均分子量１００００以下のポリエチレンまたはその誘導体の１種または２種以上からなる離型性物質からなる陶磁器、硝子、琺瑯等のセラミック製品の給付用転写紙。」
（特許請求の範囲第１項）
　「かくして得られた転写紙は、これを水（好ましくは３０℃前後）に浸漬し台紙上の糊層を溶解することにより、台紙とそれより上部層即ち模様層との分離が可能な状態となる。このような状態の転写紙を水中より取り出して模様層を台紙からずらしながら分離させ、この分離した模様層を絵付けすべき器物表面の所定の位置に貼付し乾燥後焼成する方法である。」（第２欄第２７〜３４行）
と記載されている。
　同じく提出した甲第３号証は、異議申立て（その１）における甲第２号証と同一であるから省略する。
　同じく提出した本出願前頒布された甲第４号証（「特殊印刷とコンパーティング」第８７４〜８８４頁、１９９０年３月２９日、加工技術研究会）には、工業用デカルコマーニャに関し、
　第８８１頁図５には、厚紙の上に水溶性離型剤、インキを順次有し、インキ（印刷層）を覆ってカバーコートを設けた転写紙が示され、カバーコートとして透明なアクリル樹脂が使用される旨記載されている。
　同じく提出した甲第５号証（特開昭５７−１３３０９１号公報）には、
　「基体シート上に熱可塑性ろう状物質層、熱可塑性物質層、陶磁器給付用インキよりなる図柄層を順次積層し、該熱可塑性ろう状物質層及び該熱可塑性物質層が常温では粘着性を有することなく、加熱により粘着性を帯び、一定時間その粘着性を持続し、且つ焼成によって熱分解するものであり、該両層が軟化点及び融点を異にし、且つ熱可塑性ろう状物質層が熱可塑性物質層より対象物に対する接着力が大であることを特徴とする陶磁器給付用転写材。」（特許請求の範囲第１項）
が記載され、また、
　「転写材を用いて給付する方法は具体的には▲１▼素焼陶磁器面に釉薬を塗布し、約１３００℃で焼成の後に図柄を転写し、その後約８００℃〜１２００℃で焼成する所謂上絵付転写方法。・・・このような転写方法に用いる従来の転写材としては例えば水貼り転写材がある。これは転写材を水に膨潤させて図柄層をスライドせしめ手貼り等の手段により器物表面に貼着するための転写材であるが、・・・」（第１頁右下欄下から第１行〜第２頁左上欄１４行）
　「基体シート１は通常の転写材に供されるものでよく、上質紙、コート紙、クラフト紙等の紙類或いはポリエチレンテレフタレート等のフィルム類を用いることができる。」（第２頁右下欄第５〜８行）と記載されている。
　同じく提出した甲第６号証（特開昭５７−１７５７８４号公報）には、
　「基体シート上に、常温では粘着性を有することなく、加熱により粘着性を帯び、一定時間その粘着性を持続するような熱可塑性物質層を形成し、その上に陶磁器給付用インキよりなる図柄層を形成した転写材を該熱可塑性物質層が粘着性を帯びる温度に加熱し、転写用パッドと該転写材の図柄層とを圧接せしめることにより図柄層及び熱可塑性物質層を転写用パッド表面に転移せしめ、しかる後釉薬及び固化剤が塗布された素焼陶磁器面と転写用パッド表面とを圧接せしめ、該素焼陶磁器面に図柄層及び熱可塑性物質層を転移せしめ、その後焼成することを特徴とする陶磁器給付方法。」
（特許請求の範囲第１項）
が記載され、また、
　「従来はスライド転写材を用いたスライド転写方法が適用されていた。これは転写材を水に膨潤させて図柄層をスライドせしめ手貼り等の手段により器物表面に貼着する方法であるが、・・・」（第２頁左上欄第１０〜１４行）
　「基体シート１は通常の転写材に供されるものでよく、上質紙、コート紙、クラフト紙等の紙類或いはポリエチレンテレフタレート等のフイルム類を用いる。」（第２頁左下欄第４〜７行）
と記載されている。
　同じく提出した甲第７号証（特開昭５９−１１１８９０号公報）には、耐熱性基材絵付用の転写材用基材に関し、
　「そしてこのような給付方法に用いる従来の転写材用の基材としては、（ｉ）基体シート上に水性の糊を塗布してなるもの、（ｉｉ）基体シート上に水性樹脂を塗布してなるもの等がある。」（第２頁左上欄第１１〜１４行）
　「基材シート１としては、通常の転写材に供されるものでよく、上質紙、コート紙、クラフト紙等の紙類或いはポリエチレンテレフタレート等のフィルム類を用いることができる。」（第２頁右下欄第７〜１０行）
と記載されている。
　同じく提出した本出願前頒布された甲第８号証（ペーパーセールスエンジニアリング・シリーズ「印刷用紙」、第２９頁、第６５〜７１頁、第８３〜８４頁、第１４０〜１４５頁、昭和５５年１０月３０日再版、（株）紙業タイムス社）には、塗工紙に関して記載され、
　第２９頁の表１−３印刷用紙の品質分類表には、塗工紙のうちコート紙は塗料塗布量が片面で１ｍ２当り１０ｇ前後であること、第６９頁には、塗工紙は、上質紙または中質紙系の原紙に白色カラーを普通のコーターで塗工し、スーパーカレンダーによる仕上げを行い製品としたものであること、第８３頁には、原紙に塗料を所要量塗布し、乾燥後スーパーカレンダーで仕上げると塗工紙ができあがること、第１４３頁、表ＩＩＩ−７各種紙の平滑度には、コート紙はベック平滑度が１０００〜３０００秒であることが、それぞれ記載されている。
　同じく提出した甲第９号証（特開昭５４−８３８４１号公報）には、印字品質を向上した感熱紙に関し、
　「実際にはこの欠点を改良するために、一般的には感熱紙をスーパーカレンダー等によりベック平滑度（ＪＩＳ−Ｐ８１１９）で２００〜１０００秒の平滑性をもたせるように表面処理を行うのが非常に有効な方法であるが、・・・支持体としてアンダーコー卜した紙を使用し、その上に感熱層を塗布することによって高速印字での濃度向上及び高品質の画像を得ることを見出した。・・・支持体としてアンダーコ一卜した紙を使用すれば塗層がより均一になり、又発熱体と紙の接触が良くなり、印字濃度、高品質の画像が得られる。・・・本発明に用いるアンダーコートした支持体としては一般印刷用に使用されるアート紙、コート紙・・・等が用いられるが、ベック平滑度が８０秒以上の平滑度を有するものが良く、・・・」（第２頁左上欄第９〜左下欄第４行）
と記載されている。
　同じく提出した甲第１０号証（特公平１−５８０７５号公報）には、記録シートに関し、
　「また第３図は約２０種の塗工紙のデータで、代表例を説明すると、２１は約５０μｍ厚の合成紙、２２は７２〜７５ｇ／ｍ２のファインコート紙、２３は１６０ｇ／ｍ２の高平滑クレー紙、・・・である。」（第６欄第５〜９行）
と記載され、
　第３図には、各種紙についてベック平滑度に対する剛体平面による平滑度の関係が示され、ファインコート紙の平滑度は１０００秒以上、高平滑クレー紙のそれは８００秒以上であることが示されている。
　同じく提出した本出願前頒布された甲第１１号証（「特殊印刷とコンバーティング」第５５４〜５７２頁、１９９０年３月２９日、加工技術研究会）には、印刷・情報用紙について記載され、
　第５５４頁の表２及び第５５８頁の表５には、コート紙は１ｍ２当り両面で１５ｇ前後，２０ｇ前後の塗料塗布量であることが、第５５９頁の表７には、各種印刷用紙の平滑度（ベック平滑度）が超軽量コート紙で３００〜１０００秒、軽量コート紙で８００〜１２００秒、コート紙では１０００〜３０００秒であることが、それぞれ示されている。
　同じく提出した本出願前頒布された甲第１２号証（「新・紙加工便覧」第６２７頁、第６７１頁等、昭和５５年１１月１５日、（株）紙業タイムス社）には、合成紙及び塗工印刷用紙に関して記載され、
　第６２７頁の表２．４−４合成紙の代表的グレードの物性（測定例）には、参考としてコート紙のＪＩＳ　Ｐ−８１１９にしたがって測定したべック平滑度が１，１００秒であったことが示され、また、第６７１頁には、コート紙の塗工量はおおむね２０〜３５ｇ／ｍ２の範囲にあることが示されている。
　同じく提出した本出願前頒布された甲第１３号証（「最新　紙加工便覧」第１５１〜１５４頁、第６３３頁、第６４０頁等、昭和６３年８月２０日、（株）テックタイムス）には、合成紙、アート紙及びコート紙に関して記載され、
　第１５３頁の表２．９−４合成紙の代表的グレードの物性（測定例）には、参考としてコート紙のＪＴＳ　Ｐ−８１１９にしたがって測定した平滑度が３，１００秒であることが記載され、また、
　第６３３頁の「塗工紙」の「アート紙」の項には、アート紙は、原紙の表面に１ｍ２当たり４０ｇ前行（片面２０ｇ／ｍ２前後）の塗料が塗布される旨、第６４０頁の「コート紙」の項には、コート紙はいずれも原紙の表面に１ｍ２当たり２０ｇ前後（片面１０ｇ／ｍ２前後）の塗料が塗布されており、塗工後、スーパーカレンダーにより仕上げられる旨記載されている。
（対比・判断）
　本件第１発明と甲第１号証に記載された発明とを対比すると、甲第１号証に記載された発明における「水透過性裏紙」、「接着剤コート層」、「デキストリンコート層」及び「デキストリンコート層に直接印刷される図柄」は、それぞれ、本件第１発明における「原紙」、「アンダーコート層」、「再湿糊を含むトップコート層」及び「印刷層」に相当し、また、甲第１号証に記載された発明における「サイジングコート層」は、水透過性裏紙（原紙）の接着剤コート層（アンダーコート層）側に塗工される層であって、白土、タルクバライト等の非吸湿性の微粒子（本件第１発明における「ピグメント」に相当）を含有し、高度の平滑性を付与する「平滑化コート層」であるから、両者は、「原紙上にアンダーコ一ト層、再湿糊を含むトップコート層および印刷層を順次有する絵付け転写用紙であって；かつ使用に際して、前記転写用紙に水を与えて前記トップコート層を溶解させるとともに、当該転写用紙を対象物表面に当てがい、前記印刷層を手でスライドさせて前記対象物表面に移すための転写用紙において、前記原紙として、アンダーコート層側に、ピグメントを有するコート層を塗工した平滑化コート層を有する転写用紙。」である点で一致し、▲１▼アンダーコート層が、本件第１発明においては、「凹凸の目詰めおよび吸水性を抑制するための」ものであるのに対して、甲第１号証に記載された発明においては、該限定がない点、▲２▼本件第１発明においては、印刷層の上にオーバーコート層を有するのに対して、甲第１号証に記載された発明においては、オーバーコート層がない点、▲３▼平滑化コート層が、本件第１発明においては、「スーパーカレンダー処理し、かつその平滑度（ＪＩＳ　Ｐ　８１１９）が５０秒以上である」のに対して、甲第１号証に記載された発明においては、該処理及び平滑度が示されていない点で相違する。
　上記相違点について検討する。
　相違点▲１▼及び▲２▼について
　転写用紙において、台紙上に形成されるアンダーコート層に台紙の目詰めおよび吸水性を抑制する機能をもたせるようにすることは、例えば、甲第２号証に示されるように本出願前周知の技術であるから、甲第１号証に記載された接着剤コート層（アンダーコート層）にも同様の機能をもたせることは当業者が適宜なし得るものと認める。
　また、印刷層の上にオーバーコート層（有機質皮膜、耐水性皮膜、カバーコート等）を設けることも、甲第２〜４号証に示されているように周知であるから、この点も当業者が適宜なし得るものと認める。
　相違点▲３▼について
　本件第１発明においては、本件明細書に「従来の原紙においては、平滑度（本明細書においてはベック平滑度をいう）が３０秒程度と低く、また最終的にトップコート層まで加工した状態でも平滑度が約９５０秒程度であるのに対して、本発明では、平滑化コート層を原紙に塗工したので、そもそも原紙の平滑度がたとえば５０秒以上と高くなり、最終的にトップコート層を形成したときの平滑度はたとえば１００００秒ときわめて高く、もって印刷したときの歪みを防止できるためであろうと推測できる。」（段落【００１０】）と記載されているように、単に、その上に印刷するための塗工面（コート層）の平滑度を改善するのではなく、平滑化コート層の上にトップコート層を形成して印刷する時の平滑度を顕著に改善するために、「スーパーカレンダー処理し、かつその平滑度（ＪＩＳ　Ｐ　８１１９）が５０秒以上である平滑化コート層」を設けるものである。
　これに対して、甲第５〜７第号証には、転写材（本件第１発明における「転写用紙」に相当）に水を与えて膨潤又は糊を溶解させるとともに、当該転写用紙を対象物表面に当てがい、図柄層（本件第１発明における「印刷層」に相当）を手でスライドさせて前記対象物表面に移すための転写用紙の基体シートにコート紙を使用することが示唆されており、また、コート紙は、原紙に塗料を所要量塗布し、乾燥後スーパーカレンダーで仕上げるものであり、そのベック平滑度（ＪＩＳ　Ｐ　８１１９）が通常５０秒以上であることは甲第８〜１３号証に示されているように周知であると認められるが、甲第５〜７第号証には、コート紙（コート層）の上にトップコート層を形成して印刷する時の平滑度の改善については何ら示唆されていないから、甲第１号証に記載された発明に甲第５〜１３号証に記載された発明を組み合わせても、平滑化コート層の上にトップコート層を形成して印刷する時の平滑度を顕著に改善するために、「スーパーカレンダー処理し、かつその平滑度（ＪＩＳ　Ｐ　８１１９）が５０秒以上である平滑化コート層」を設けることを当業者が容易に想到し得たとは認められない。
　したがって、本件第１発明は、甲第１〜１３号証に記載された発明に基づいて当業者が容易に発明をすることができたものとすることはできない。
　また、本件第２発明は、本件第１発明におけるコート層の塗工量を８〜１６ｇ／ｍ２と限定したものであり、この程度のコート層の塗工量とすることは、１甲第１号証、甲第８号証、甲第１１〜１３号証に示されているように周知であり、当業者が適宜なし得るものであるが、「スーパーカレンダー処理し、かつ平滑度（ＪＩＳ　Ｐ　８１１９）が５０秒以上である平滑化コート層」を有する点は本件第１発明と共通であるから、本件第１発明と同様に、甲第１〜１３号証に記載された発明に基づいて当業者が容易に発明をすることができたものとすることはできない。
　異議申立て（その３）について
（甲号証に記載された発明）
　特許異議申立人が提出した甲第１号証は異議申立て（その１）の甲第１号証と同一であるから省略する。
　同じく提出した本出願前頒布された甲第２号証（米国特許第４５２９６５４号明細書）には、転写画像または移し絵用支持体に関し、
　「本発明は吸収性紙からなり、その一方の側に、バリヤー層と印刷および／またはラッカー層の形の脱離可能な画像層を受領するための水溶性分離層とが施されている転写画像または移し絵用支持体に関する。」（第１欄第６〜１２行）
　「１は紙支持体であって、約１００〜２００ｇ／ｍ２の範囲内の平均単位面積重さを有している。この紙支持体は、その一方の面の浸透性を少なくするバリヤー層２を有している。このバリヤー層は、クレー充填剤を使用しまたは使用しないで、例えばデンプン、カゼイン、ニカワ、アルカリ金属ケイ酸塩、水ガラスなどの表層サイズまたはシールコートであってもよい。バリヤー層２の存在により本発明の材料の過度な浸透および吸収が防止される。このバリヤー層は分離層３に対して施されるものである。」（第４欄第２１〜３２行）
　「画像層４は脱離可能な密着性ラッカーマスク、または例えば無機顔料らからなる装飾画像を含むラッカーである。」（第４欄第３８〜４０行）
と記載されている。
（対比・判断）
　本件第１発明と甲第１号証に記載された発明とを対比すると、甲第１号証に記載された発明における「水透過性裏紙」、「接着剤コート層」、「デキストリンコート層」及び「デキストリンコート層に直接印刷される図柄」は、それぞれ、本件第１発明における「原紙」、「アンダーコート層」、「再湿糊を含むトップコート層」及び「印刷層」に相当し、また、甲第１号証に記載された発明における「サイジングコート層」は、水透過性裏紙（原紙）の接着剤コート層（アンダーコート層）側に塗工される層であって、白土、タルク、バライト等の非吸湿性の微粒子（本件第１発明における「ピグメント」に相当）を含有し、高度の平滑性を付与する「平滑化コート層」であるから、両者は、「原紙上にアンダーコート層、再湿糊を含むトップコート層および印刷層を順次有する絵付け転写用紙であって；かつ使用に際して、前記転写用紙に水を与えて前記トップコート層を溶解させるとともに、当該転写用紙を対象物表面に当てがい、前記印刷層を手でスライドさせて前記対象物表面に移すための転写用紙において、前記原紙として、アンダーコート層側に、ピグメントを有するコート層を塗工した平滑化コート層を有する転写用紙。」である点で一致し、▲１▼アンダーコート層が、本件第１発明においては、「凹凸の目詰めおよび吸水性を抑制するための」ものであるのに対して、甲第１号証に記載された発明においては、該限定がない点、▲２▼本件第１発明においては、印刷層の上にオーバーコート層を有するのに対して、甲第１号証に記載された発明においては、オーバーコート層がない点、▲３▼平滑化コート層が、本件第１発明においては、「スーパーカレンダー処理し、かつその平滑度（ＪＩＳ　Ｐ　８１１９）が５０秒以上である」のに対して、甲第１号証に記載された発明においては、該処理及び平滑度が示されていない点で相違する。
　上記相違点について検討する。
　甲第２号証には、紙支持体（本件第１発明における「原紙」に相当）上に、水溶性分離層（本件第１発明における「再湿糊を含むトップコート層」に相当）および画像層（本件第１発明における「印刷層」に相当）を順次有する絵付け転写用紙であって；かつ使用に際して、前記転写用紙に水を与えて前記トップコート層を溶解させるとともに、当該転写用紙を対象物表面に当てがい、前記印刷層を手でスライドさせて前記対象物表面に移すための転写用紙において、前記原紙として、クレー充填剤（本件第１発明における「ピグメント」に相当）を有するバリャー層（本件第１発明における「コート層」に相当）を塗工した絵付け転写用紙が記載されているが、コート層が、「スーパーカレンダー処理し、かつその平滑度（ＪＩＳ　Ｐ　８１１９）が５０秒以上である平滑化コート層」については記載されていない。
　そして、本件第１発明は、「スーパーカレンダー処理し、かつその平滑度（ＪＩＳ　Ｐ　８１１９）が５０秒以上である平滑化コート層」を有することにより、「最終的にトップコート層を形成したときの平滑度はたとえば１００００秒ときわめて高く、もって印刷したときの歪みを防止できる」という明細書記載の顕著な効果を奏するものである。
　したがって、本件第１発明は、甲第１及び２号証に記載された発明に基づいて当業者が容易に発明をすることができたものとすることはできない。
　また、本件第２発明は、本件第１発明におけるコート層の塗工量を限定したものであるが、「スーパーカレンダー処理し、かつ平滑度（ＪＩＳ　Ｐ　８１１９）が５０秒以上である平滑化コート層」を有する点は本件第１発明と共通であるから、本件第１発明と同様に、甲第１及び２号証に記載された発明に基づいて当業者が容易に発明をすることができたものとすることはできない。
（むすび）
　以上のとおりであるから、特許異議申立ての理由及び証拠によっては、本件請求項１及び請求項２に係る発明の特許を取り消すことはできない。
　また、他に本件請求項１及び請求項２に係る発明の特許を取り消すべき理由を発見しない。
　よって、結論のとおり決定する。
【異議決定日】
平成１１年７月２８日（１９９９．７．２８）
【訂正の要旨】
　▲１▼特許請求の範囲の減縮を目的として、特許請求の範囲の請求項１を削除し、同請求項２を請求項１とするとともに、同請求項３の「・・・請求項１または２記載の・・・」を「・・・請求項１記載の・・・」と訂正し、これを請求項２と訂正する。
　明りょうでない記載の釈明を目的として、▲２▼〜▲４▼の訂正をする。
　▲２▼明細書【０００５】の全文の記載を削除する。
　▲３▼明細書【０００６】の「請求項２記載の発明は・・・」を「【課題を解決するための手段】上記課題を解決するための本発明の請求項１記載の発明は・・・」と訂正する。
　▲４▼明細書【０００７】の「請求項３記載の発明は、コート層の塗工量が８〜１６ｇ／ｍ２である請求項１または２記載の絵付け転写用紙である。」を「請求項２記載の発明は、コート層の塗工量が８〜１６ｇ／ｍ２である請求項１記載の絵付け転写用紙である。」と訂正する。
　▲５▼誤記の訂正を目的として、明細書、図面の簡単な説明の欄の「【図１】本発明に・・・断面図である。【図２】従来例に・・・断面図である。」を、それぞれ「【図１】本発明の・・・断面図である。【図２】従来例の・・・断面図である。」と訂正する。
（５４）【発明の名称】
絵付け転写用紙
（５７）【特許請求の範囲】
　【請求項１】原紙上に、その凹凸の目詰めおよび吸水性を抑制するためのアンダーコート層、再湿糊を含むトップコート層、印刷層およびオーバーコート層を順次有する絵付け転写用紙であって；かつ使用に際して、前記転写用紙に水を与えて前記トップコート層を溶解させるとともに、当該転写用紙を対象物表面に当てがい、前記印刷層を手でスライドさせて前記対象物表面に移し、その後前記印刷層を焼き付けて絵付けを行うための転写用紙において：
　前記原紙として、アンダーコート層側に、ピグメントを有するコート層を塗工し、これをスーパーカレンダー処理し、かつその平滑度（ＪＩＳ　Ｐ　８１１９）が５０秒以上である平滑化コート層を有することを特徴とする絵付け転写用紙。
　【請求項２】コート層の塗工量が８〜１６ｇ／ｍ２である請求項１記載の絵付け転写用紙。
【発明の詳細な説明】
　【産業上の利用分野】
　本発明は、陶器などの絵付けのために用いる（水）転写用紙に関する。
　【従来の技術】
　近年、陶器、ガラスまたはホーローなどの無機材料に対する絵付けのために、絵付け転写用紙を用い、これを水に漬浸してスライド転写することが行われている。◇
　従来、この絵付け転写用紙としては、図２に示すように、ノーサイズ原紙１上に、その凹凸の目詰めおよび吸水性を抑制するための可溶性デンプンを有するアンダーコート層２、黄色デキストリンまたはカルボキシメチルセルロース（ＣＭＣ）などの再湿糊を含むトップコート層３、スクリーン印刷またはオフセット印刷層からなる印刷層４、およびアクリル樹脂からなるオーバーコート層５を順次有するものが一般的である。６はカール防止などのためのエチレングリコールなどからなるバックコート層である。◇
　使用に際しては、その転写用紙に水を与え、糊層（トップコート層）を溶解させ、転写用紙を当該対象物表面に当てがい、印刷層を手でスライドさせて、対象面に移し、これを８００〜１０００℃で焼き付けする。
　【発明が解決しようとする課題】
　しかし、従来の転写用紙においては、焼き付け面が不鮮明にある欠点があった。そこで、本発明者らは、前述のトップコート層を形成した後、スーパーカレンダー掛けして平滑度を高める手段を採ったが、スクリーン印刷面が微妙に乱れ、焼き付け面の鮮明化には限界があることが判った。
　したがって、本発明の課題は、焼き付け後の絵柄が著しく鮮明に現れるようにすることにある。
　【課題を解決するための手段】
　上記課題を解決するための本発明の請求項１記載の発明は、原紙上に、その凹凸の目詰めおよび吸水性を抑制するためのアンダーコート層、再湿糊を含むトップコート層、印刷層およびオーバーコート層を順次有する絵付け転写用紙であって；かつ使用に際して、前記転写用紙に水を与えて前記トップコート層を溶解させるとともに、当該転写用紙を対象物表面に当てがい、前記印刷層を手でスライドさせて前記対象物表面に移し、その後前記印刷層を焼き付けて絵付けを行うための転写用紙において：
　前記原紙として、アンダーコート層側に、ピグメントを有するコート層を塗工し、これをスーパーカレンダー処理し、かつその平滑度（ＪＩＳ　Ｐ　８１１９）が５０秒以上である平滑化コート層を有することを特徴とする絵付け転写用紙である。
　請求項２記載の発明は、コート層の塗工量が８〜１６ｇ／ｍ２である請求項１記載の絵付け転写用紙である。
　【作用】
　本発明では、原紙１のアンダーコート層側に、ピグメントを有するコート層１Ａを塗工した平滑化コート層を有する。この場合、平滑化コート層としては、塗布コート層１Ａに対してスーパーカレンダー処理し、かつその平滑度が５０秒以上であるものがより好適である。
　その結果、鮮明に印刷でき、かつ焼き付け後の絵柄がきわめて鮮明に現れ、特に金またはプラチナの部分が鮮明に現れるようになる。
　この理由は、従来の原紙においては、平滑度（本明細書においてはベック平滑度をいう）が３０秒程度と低く、また最終的にトップコート層まで加工した状態でも平滑度が約９５０秒程度であるのに対して、本発明では、平滑化コート層を原紙に塗工したので、そもそも原紙の平滑度がたとえば５０秒以上と高くなり、最終的にトップコート層を形成したときの平滑度はたとえば１００００秒ときわめて高く、もって印刷したときの歪みを防止できるためであろうと推測できる。
　また、本発明の転写用紙は、原紙１のアンダーコート層側に、ピグメントを有するコート層１Ａを塗工し、このコート層１Ａに対してスーパーカレンダー処理し、かつその平滑度が５０秒以上である平滑化コート層を形成するので、その過程において表面のムラが少なくなり、この点からも印刷したときの歪みが少なくなるものと考えられる。
　さらに付言すれば、従来、印刷層表面への吸水を防止し、印刷層表面の平滑性を高めるために、アンダーコート層用でんぷん、およびトップコート層用の焼成でんぷん量を多くして対処していたが、本発明の平滑化コート層が、その機能を少ない塗布量でも十分発揮し、両でんぷん量が約１／３程度とすることができる。その結果、乾燥速度（でんぷんは乾燥性がきわめて悪い）が高まることも相俟って、大きなコスト低減を図ることができる。
　他方で、従来例においてはでんぷんの塗布量が多いために、カールの発生が著しく、収縮（ムラ）がみられた。この点について説明すると、陶器用転写紙の印刷は、商業印刷と全く異なり、きわめて乾燥性の悪い絵具（インキ）を使用し、高温で焼き付ける特殊もものである。印刷はスクリーン印刷により行い、１０色、場合によっては２０色以上の印刷を行う点で、４色刷りの商業印刷とは大きく異なる。１色に対して、通常約２時間かけて乾燥するために、仕上げまでに３日〜１週間程度要する。この印刷業者は、中小企業がほとんどであるために、現場は空調されていないことがほとんどであるために、カールおよび収縮が大きな問題となっていた。これに対して、本発明においては、平滑化コート層を設けることで、アンダーコート層用でんぷんおよびトップコート層用でんぷん量を少なくしてあるために、カールの発生および収縮ががほとんど無くなり、前述の問題を一挙に解決できる。
　平滑化コート層を設けることで、前述のように、平滑度が高まり、インキの受理性（印刷適性）が大幅に向上し、インキ量の低減も図ることができる。
　さらに、でんぷんの塗工量が減少することは、平滑性を高めるためにカレンダーがけを行う場合において、紙の側縁に回り込んだでんぷんがカレンダーに付着し、これが紙の表面および裏面に転写され、ロスとなる場合が多かった。製造工程でロール紙を得た後、カッター機や裁断機で平判にする場合、その刃にでんぷんが付着し、切断性を悪化させるために、週に２回程度交換する必要があった。かかる問題も本発明は解決する。切断性は、スライド転写前において、作業員がはさみで３枚重ねて切断する場合においても問題となっていたもので、４枚同時の切断が可能となり、作業性も向上する。
　でんぷんは、焼付後、灰分として陶器の釉薬の表面に残り、艶を低下させ、灰色化し、画質を悪化させる。本発明によれば、灰分が発生量が少なくなる。
　【実施例】
　以下本発明をさらに詳説する。◇
　本発明の転写用紙の基本的な層構成は、図１に示すように、Ｌ−ＢＫＰ１００％などで抄造したノーサイズの原紙１の、アンダーコート層２側に、ピグメントを有するコート層１Ａを塗工し、必要により、これをスーパーカレンダー処理し、かつその平滑度（ＪＩＳ　Ｐ　８１１９）が５０秒以上、特に望ましくは７０秒以上である平滑化コート層を有するものを用いる。裏面、すなわちバッターコート層６側の平滑度は限定されない。他の層構成は従来例と同一とすることができる。
　コート層１Ａの塗工に当たり、クレー、軽質炭酸カルシウム、重炭酸カルシウムなどのピグメントを含有させ、ＳＢＲラテックス、エステル化デンプン、耐水化剤、潤滑剤、保水剤などを含有させることができる。
　コート層１Ａの塗工量としては、８〜１６ｇ／ｍ２、特に１０〜１４ｇ／ｍ２が好ましい。塗工量を高めると、平滑度が高まるものの、過度に多くすると、原紙の吸水度の低下として現れる。また、かかる平滑化コート層を形成すると、アンダーコート層およびトップコート層での塗工量を減少させることができ、陶器に対して移行する糊の量が少なくなり、灰分が減少し、表面がきれいに仕上がる。
　コート層１Ａを塗工した状態で原紙の形態としては、その坪量として、５０〜１８０ｇ／ｍ２とし、厚みとしては１２０〜２５０μｍとすることができる。引張り強度は、縦が１２．０ｋｇ以上、横１０．０ｋｇ以上が望まれる。湿潤強度としては、縦１．５ｋｇ以上、横１．２ｋｇ以上とする。伸縮率としては、縦３％以下、横４％以下が望ましい。光沢度としては、２２％以上が望ましい。また、吸水速度としては、原紙のみの状態で１秒以内に浸水し、塗工後で１分以内に浸水することが要求される。
　本発明において、必要ならば、トップコート層４までを塗工した後に、スーパーカレンダー処理するこどもできる。この場合において、その表面の平滑度は、絵柄の鮮明性において１０００秒、特に４０００秒以上とするのが望ましい。
　他の層の構成としては、生デンプン（コーンまたは馬鈴薯など）を有するアンダーコート層２を形成してトップコート層への水の浸透を抑制し、スライド転写性を向上させる。再湿時のスライド転写性を円滑に行うためのトップコート層４としては、黄色もしくは白色デキストリンまたはカルボキシメチルセルロース（ＣＭＣ）などの再湿糊を含ませることができる。印刷層４としては、スクリーン印刷、オフセット印刷層またはグラビア印刷層とすることができ、これらを組み合わせることもできる。印刷層を固定させるためのアクリル樹脂からなるオーバーコート層５としては、その厚みを２０〜３０μｍとすることができる。カール防止などのためのバックコート層６としては、エチレングリコール、グリセリン、ＰＶＡなどを用いることができるが、水のみ用いることもある。
　（実施例）◇
　次に本発明を効果を実施例により説明する。◇
　Ｌ−ＢＫＰ１００％で抄造したヤンキー片艷の坪量１５７ｇ／ｃｍ２のノーサイズの原紙を得た。この原紙に次記のコート材料を、塗工量を変えて塗工した。この場合、原紙または平滑化層の形成後のカレンダー掛けを実施した。得られた原紙の特性の結果を表１に示した。ここに、×は不良、△は良好ではない、○は良好を意味する。
　【表１】
　この表１の結果によると、本発明に従って、平滑化のためのコート層を形成することにより、特に平滑度が５０秒以上の平滑化コート層を形成することにより、絵付け転写用紙として要求される特性を改善でき、または優れたものとなり、前述の作用の欄で述べた顕著な利点をもたらす。
　【発明の効果】
　以上の通り、本発明によれば、焼き付け後の絵柄が著しく鮮明に現れるなどの利点がもたらされる。
【図面の簡単な説明】
　【図１】
本発明の転写用紙の層構成を示す断面図である。
　【図２】
従来例の転写用紙の層構成を示す断面図である。
　【符号の説明】
　１…原紙、１Ａ…コート層、２…アンダーコート層、３…トップコート層、４…印刷層、５…オーバーコート層、６…バックコート層。